(57)【要約】  人を特定する要素である人体因子および運転モードに関する情報を少なくとも入力する入力部と、環境を特定する要素である環境因子を変更する複数の可変装置と、入力部から入力された情報に基づいて可変装置を複数制御し、複数の環境因子を快適範囲内にする制御部と、を備えたものである。
2016001975.tif 000002
【特許請求の範囲】
【請求項１】
人を特定する要素である人体因子および運転モードに関する情報を少なくとも入力する入力部と、
環境を特定する要素である環境因子を変更する複数の可変装置と、
前記入力部から入力された情報に基づいて前記可変装置を複数制御し、複数の環境因子を快適範囲内にする制御部と、を備えた
空調システム。
【請求項２】
環境因子を検知する検知部を備え、
前記入力部から入力された情報に基づいて、複数の環境因子の目標値をそれぞれ前記快適範囲内の値に決定し、前記目標値および前記検知部で検知された値に応じて前記可変装置を複数制御し、複数の環境因子の値をそれぞれ前記目標値にする
請求項１に記載の空調システム。
【請求項３】
使用者の人体因子のパラメータの登録画面、運転モードの設定画面、および前記目標値の表示画面を少なくとも表示する表示部を備えた
請求項２に記載の空調システム。
【請求項４】
人体因子毎の環境因子に応じた快適範囲に関する情報が記憶される記憶部を備え、
前記入力部から入力される情報に基づいて最適な快適範囲を選択し、その快適範囲内の値を前記目標値に決定する
請求項２または３に記載の空調システム。
【請求項５】
現使用者の人体因子のパラメータに該当した快適範囲を選択する
請求項４に記載の空調システム。
【請求項６】
現使用者の人体因子のパラメータに該当した快適範囲が複数ある場合、
予め決められた優先順位に基づいて快適範囲を選択する
請求項５に記載の空調システム。
【請求項７】
前記最適な快適範囲内において、最も消費電力が少なくなる値を前記目標値に決定する
請求項４〜６のいずれか一項に記載の空調システム。
【請求項８】
前記最適な快適範囲内において、前記検知部で検知された現在の環境因子の値に応じて前記目標値を決定する
請求項４〜６のいずれか一項に記載の空調システム。
【請求項９】
前記運転モードとして暖房モードを備え、
前記複数の可変装置としてルームエアコンおよび床暖房を備え、
前記検知部として単数または複数で空気温度および床温度を検知する空調システムであって、
前記暖房モードが選択されたら、
現使用者の人体因子のパラメータに該当した空気温度および床温度に対応する快適範囲を選択し、その快適範囲内の空気温度および床温度の値をそれぞれの目標値に決定し、前記目標値および前記検知部で検知された空気温度および床温度に応じてルームエアコンおよび床暖房を制御し、空気温度および床温度の値をそれぞれ前記目標値にする
請求項４〜８のいずれか一項に記載の空調システム。
【請求項１０】
前記運転モードとして冷房モードを備え、
前記複数の可変装置としてルームエアコンおよび輻射冷房パネルを備え、
前記検知部として単数または複数で空気温度および壁温度を検知する空調システムであって、
前記冷房モードが選択されたら、
現使用者の人体因子のパラメータに該当した空気温度および壁温度に対応する快適範囲を選択し、その快適範囲内の空気温度および壁温度の値をそれぞれの目標値に決定し、前記目標値および前記検知部で検知された空気温度および壁温度に応じてルームエアコンおよび輻射冷房パネルを制御し、空気温度および壁温度の値をそれぞれ前記目標値にする
請求項４〜９のいずれか一項に記載の空調システム。
【請求項１１】
前記運転モードとして除湿モードを備え、
前記複数の可変装置としてルームエアコンまたは輻射冷房パネルおよび除湿機を備え、
前記検知部として単数または複数で絶対湿度および空気温度を検知する空調システムであって、
前記除湿モードが選択されたら、
現使用者の人体因子のパラメータに該当した絶対湿度および空気温度に対応する快適範囲を選択し、その快適範囲内の絶対湿度および空気温度の値をそれぞれの目標値に決定し、前記目標値および前記検知部で検知された絶対湿度および空気温度に応じてルームエアコンまたは輻射冷房パネルおよび除湿機を制御し、絶対湿度および空気温度の値をそれぞれ前記目標値にする
請求項４〜１０のいずれか一項に記載の空調システム。
【請求項１２】
前記運転モードとして加湿モードを備え、
前記複数の可変装置としてルームエアコンまたは床暖房および除湿機を備え、
前記検知部として単数または複数で絶対湿度および空気温度を検知する空調システムであって、
前記加湿モードが選択されたら、
現使用者の人体因子のパラメータに該当した絶対湿度および空気温度に対応する快適範囲を選択し、その快適範囲内の絶対湿度および空気温度の値をそれぞれの目標値に決定し、前記目標値および前記検知部で検知された絶対湿度および空気温度に応じてルームエアコンまたは床暖房および除湿機を制御し、絶対湿度および空気温度の値をそれぞれ前記目標値にする
請求項４〜１１のいずれか一項に記載の空調システム。
【請求項１３】
前記運転モードとして空気清浄モードを備え、
前記複数の可変装置としてルームエアコンおよび空気清浄機を備え、
前記検知部として単数または複数で粉塵濃度および風速を検知する空調システムであって、
前記空気清浄モードが選択されたら、
現使用者の人体因子のパラメータに該当した粉塵濃度および風速に対応する快適範囲を選択し、その快適範囲内の粉塵濃度および風速の値をそれぞれの目標値に決定し、前記目標値および前記検知部で検知された粉塵濃度および風速に応じてルームエアコンおよび空気清浄機を制御し、粉塵濃度および風速の値をそれぞれ前記目標値にする
請求項４〜１２のいずれか一項に記載の空調システム。
【発明の詳細な説明】
【技術分野】
【０００１】
本発明は、環境因子可変装置を制御して空調を行う空調システムに関するものである。
【背景技術】
【０００２】
従来の空調システムにおいて、使用者の快適感を決定する人体因子（年齢、身長、体重、性別、既述症、着衣量、作業量、疲労度等）の情報、使用者の生活パターンや時間に関する情報、建物に関する情報（冷暖房負荷、換気回数、形態係数、立地条件等）の少なくとも一つを入力することが可能な入力部と、使用者の快適感を決定する環境因子（温度、湿度、輻射温度、気流速度、光量、音量、浮遊粉塵量、ある特定のガス濃度）の少なくとも一つを検知する環境因子検知部と、前記入力部からの信号と前記環境因子検知部からの信号から目標値を演算し記憶するＩＣカードと、発熱体、吸熱体、送風機、除湿機または加湿機、光源、音源、除塵機およびある特定のガスの吸収機または発生機等の少なくとも一つを有した環境因子可変装置と、前記環境因子検知部から検知信号と前記ＩＣカードで記憶された目標値との差により前記環境因子可変装置の制御を行う制御部と、前記ＩＣカードの着脱を可能にしかつ前記入力部、前記環境因子検知部、前記制御部と前記ＩＣカードとの通信を媒介する媒介部とから構成されるものがある（たとえば、特許文献１参照）。【０００３】
特許文献１は、入力部からの信号および環境因子検知部からの信号に基づいてＩＣカードで目標値を演算するとともにその値を記憶し、環境因子検知部からの信号とＩＣカードに記憶した目標値との差に応じて制御部で環境因子可変装置の制御を行い、環境が快適となるように制御している。
【先行技術文献】
【特許文献】
【０００４】
【特許文献１】特公平８−１６５３８号公報
【発明の概要】
【発明が解決しようとする課題】
【０００５】
環境の快適性を得るために、たとえば空気温度と輻射温度など複数の環境因子を快適範囲内に制御する必要が生じた場合、特許文献１では１つの環境因子可変装置の制御しか行っていないため、複数の環境因子を快適範囲内に制御しきれず、快適性を損ねてしまうことがあった。【０００６】
本発明は、以上のような課題を解決するためになされたもので、快適性を損ねずに向上させることができる空調システムを提供することを目的としている。
【課題を解決するための手段】
【０００７】
本発明に係る空調システムは、人を特定する要素である人体因子および運転モードに関する情報を少なくとも入力する入力部と、環境を特定する要素である環境因子を変更する複数の可変装置と、前記入力部から入力された情報に基づいて前記可変装置を複数制御し、複数の環境因子を快適範囲内にする制御部と、を備えたものである。
【発明の効果】
【０００８】
本発明に係る空調システムによれば、可変装置を複数制御することで、複数の環境因子を快適範囲内に制御することができるため、快適性を損ねずに向上させることができる。
【図面の簡単な説明】
【０００９】
【図１】本発明の実施の形態１に係る空調システムのブロック図である。
【図２】本発明の実施の形態１に係る空調システムの操作表示端末の表示部に表示される初期登録画面を示す図である。
【図３】本発明の実施の形態１に係る空調システムの操作表示端末の表示部に表示される運転モード選択画面を示す図である。
【図４】本発明の実施の形態１に係る空調システムの操作表示端末の表示部に表示される暖房モード画面を示す図である。
【図５】本発明の実施の形態１に係る空調システムの床温度と空気温度と年齢における快適範囲との関係を示す図である。
【図６】本発明の実施の形態１に係る空調システムの空気温度および床温度の目標値の決定方法を説明する図である。
【図７】本発明の実施の形態２に係る空調システムのブロック図である。
【図８】本発明の実施の形態２に係る空調システムの壁温度と空気温度と年齢における快適範囲との関係を示す図である。
【図９】本発明の実施の形態３に係る空調システムのブロック図である。
【図１０】本発明の実施の形態３に係る空調システムの空気温度と絶対湿度と性別における快適範囲との関係を示す図である。
【図１１】本発明の実施の形態４に係る空調システムのブロック図である。
【図１２】本発明の実施の形態４に係る空調システムの空気温度と絶対湿度と性別における快適範囲との関係を示す図である。
【図１３】本発明の実施の形態５に係る空調システムのブロック図である。
【図１４】本発明の実施の形態５に係る空調システムの風速と粉塵濃度と体質における快適範囲との関係を示す図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下に登場する「使用者」とは、空調システムを使用する者とする。また、以下に登場する「現使用者」とは、使用者のうち空調システムをまさに使用しようとしている者、または使用している者とする。
【００１１】
実施の形態１．
図１は、本発明の実施の形態１に係る空調システムのブロック図である。
本実施の形態１に係る空調システムは、空調対象空間の空調を行うものであり、操作表示端末１と、環境因子検知部２と、情報収集ユニット３と、複数の環境因子可変装置４と、を備えている。なお、ここで言う空調とは、暖房、冷房、除湿、加湿、空気清浄等を含むものとする。
【００１２】
操作表示端末１は、表示部と入力部とを有する通信機器であり、使用者の快適感を決定する、人を特定する要素である人体因子、すなわち年齢、身長、体重、性別、既往症、着衣量、作業量、疲労度等の情報、使用者の生活パターン、時間に関する情報、冷暖房負荷、換気回数、形態係数、および立地条件等の建築物に関する情報が入力される。操作表示端末１は、たとえばタブレット、リモコン、携帯電話、スマートフォン、パソコン、テレビ、カーナビなどである。
なお、操作表示端末１は本発明の「入力部」および「表示部」に相当する。
【００１３】
環境因子検知部２は、使用者の快適感を決定する、環境を特定する要素である環境因子、すなわち温度、湿度、輻射温度、気流速度、光量、音量、艀遊粉塵量、およびある特定のガス濃度等のいずれか一つまたは複数を、単体または複数で検知するものである。環境因子検知部２は、環境因子可変装置４に内蔵されたセンサでもよい。
なお、環境因子検知部２は本発明の「検知部」に相当する。
【００１４】
情報収集ユニット３は、記憶部と制御部とを有するものであり、人体因子毎の環境因子に対応する快適範囲に関する情報が記憶部に記憶されている。ここで、快適範囲とは、使用者にとって快適な環境を保つことができるとして予め決められた環境因子の範囲である。本実施の形態１では、少なくとも年齢（年齢層）毎の空気温度および床温度に対応する快適範囲に関する情報が記憶部に記憶されている。
【００１５】
また、操作表示端末１からの情報に基づいて最適な快適範囲を選択し、その快適範囲内の値を目標値に決定する。また、その目標値と環境因子検知部２で検知された値との差に応じて、環境因子可変装置４の制御を行い、環境因子検知部２で検知した値が目標値になるようにする。
なお、情報収集ユニット３は本発明の「制御部」および「記憶部」に相当する。
【００１６】
環境因子可変装置４は、ルームエアコン、床暖房、輻射冷房パネル、除湿機、加湿器、空気清浄機等の環境因子を変更するものである。なお、本実施の形態１では、複数の環境因子可変装置４として、主に空気温度を変更するルームエアコン４ａと主に床温度を変更する床暖房４ｂとを少なくとも有するものとする。
なお、環境因子可変装置４は本発明の「可変装置」に相当する。
【００１７】
上記構成において、（現）使用者により、人体因子や運転モードなどの各種情報が操作表示端末１により入力され、環境因子検知部２により空調対象空間における現在の複数の環境因子が検知されると、情報収集ユニット３では操作表示端末１からの情報と環境因子検知部２からの情報に基づいて記憶部の快適範囲を参照し、現使用者の快適さを満足する複数の環境因子の値が目標値にそれぞれ設定される。そして、その目標値と環境因子検知部２で検知された値との差に応じて環境因子可変装置４を複数制御し、環境を快適な状態に保つ。
【００１８】
図２は、本発明の実施の形態１に係る空調システムの操作表示端末１の表示部に表示される初期登録画面を示す図、図３は、本発明の実施の形態１に係る空調システムの操作表示端末１の表示部に表示される運転モード選択画面を示す図、図４は、本発明の実施の形態１に係る空調システムの操作表示端末１の表示部に表示される暖房モード画面を示す図である。
次に、本実施の形態１に係る空調システムの自動運転モードを実行する際の操作表示端末１の操作方法について説明する。
本実施の形態１に係る空調システムは自動運転モードを備えており、この自動運転モードは、現使用者にとって快適な環境となるように自動で環境因子可変装置４を制御するモードである。なお、この自動運転モードは、初期設定で設定できるようにしてもよいし、空調システムを操作毎に設定できるようにしてもよい。
【００１９】
まず、自動運転モードが選択されると、操作表示端末１の表示部に図２に示す初期登録画面が表示されるので、使用者の快適感を決定する人体因子のパラメータを画面に従って入力し、人体因子のパラメータの登録を行う。本実施の形態１では、図２に示すように３名の使用者Ａ、Ｂ、Ｃの各年齢を登録するものとする。この登録された人体因子に関する情報は、情報収集ユニット３の記憶部に記憶される。
なお、初期登録前における使用者の人体因子のパラメータには、予め決められたデフォルト値を設定するとよい。また、図２に示す初期登録画面は、既に初期登録が行われている場合は非表示として、次の画面を表示してもよい。
【００２０】
次に、図３に示すように運転モード選択画面が表示されるので、運転モードを選択する。本実施の形態１では、「暖房」モードを選択するものとする。なお、本実施の形態１では、図３に示すように操作モードの種類を、「暖房」、「冷房」、「除湿」、「加湿」、「空気清浄」としているが、それに限定されず、その他のモードを備えていてもよいし、少なくてもよい。
【００２１】
「暖房」モードが選択されると、図４に示すように暖房モード画面が表示され、制御部は、登録された人体因子に関する情報と環境因子検知部２で検知される環境因子の情報とに基づいて、現使用者の快適さを満足する環境因子の（複数の）値が目標値に設定される。
本実施の形態１では、環境因子が空気温度および床温度であり、現使用者の快適さを満足するため、図４に示すように、目標値として空気温度が２０℃、床温度が２８℃にそれぞれ設定される。
なお、床温度ではなく床暖房４ｂの水温が設定されてもよい。また、図４では運転する環境因子可変装置４の画、空気温度、および床温度を表示しているが、その他、環境因子検知部２により検知された情報等を表示してもよい。また、設定された目標値は現使用者によって変更できるようにしてもよい。
【００２２】
図５は、本発明の実施の形態１に係る空調システムの床温度と空気温度と年齢における快適範囲との関係を示す図である。なお、図５中の細線は、ルームエアコン４ａを単体で制御した際の空気温度および床温度の変化を示しており、太線は、ルームエアコン４ａおよび床暖房４ｂを制御した際の空気温度および床温度の変化を示している。
本実施の形態１では、年齢優先によって空気温度および床温度の目標値を決定するものとする。図５に示すように、空気温度および床温度における快適範囲は年齢によって異なっているため、現使用者の年齢に応じて空気温度および床温度の目標値を決定する必要がある。
【００２３】
現使用者が若年、または複数の現使用者のうち全員が若年であった場合は、若年の快適範囲内の値を目標値に決定し、現使用者が老年、または複数の現使用者のうち全員が老年であった場合は、老年の快適範囲内の値を目標値に決定する。また、複数の現使用者のうち若年と老年がどちらも居た場合は、予め優先順位を決めておき、その優先順位に従って優先順位が高い方の快適範囲内の値を目標値に決定する。
なお、本実施の形態１では、３０代は若年、７０代は老年とする。
【００２４】
ここで、現使用者の特定方法について、たとえば空調システムを操作毎に現使用者を入力させるようにしてもよいし、使用者によって予め設定された各使用者の生活パターン（タイムテーブル）に基づいて現使用者を特定してもよいし、単体の人感検知部（画像センサや赤外線センサ等）、または環境因子可変装置４に組み込まれた人感検知部によって現使用者を特定してもよい。
なお、現使用者の特定方法については上記に限定されない。
【００２５】
なお、環境因子可変装置４であるルームエアコン４ａを単体で制御した場合、図５に示す細線上にしか空気温度および床温度を変化させることができない。一方、環境因子可変装置４であるルームエアコン４ａおよび床暖房４ｂを制御した場合、図５に示す太線上に空気温度および床温度を変化させることができる。そのため、環境因子可変装置４を単体制御したときの快適範囲よりも、複数制御したときの快適範囲の方が大きい。そのため、本実施の形態１にように、環境因子可変装置４を複数制御することにより、環境因子を快適範囲内に容易に制御することができる。
【００２６】
そして、上記によって決定した目標値と環境因子検知部２で検知した値との差に応じて、環境因子可変装置４であるルームエアコン４ａおよび床暖房４ｂの制御を行い、環境因子検知部２で検知した空気温度および床温度が、ともに目標値になるようにする。そうすることで、現使用者にとって快適な環境を得ることができる。
【００２７】
図６は、本発明の実施の形態１に係る空調システムの空気温度および床温度の目標値の決定方法を説明する図である。
本実施の形態１では、ルームエアコン４ａおよび床暖房４ｂの制御を行うが、ルームエアコン４ａの方が床暖房４ｂに比べ運転効率がよいため、できるだけルームエアコン４ａの運転比率を増加して環境を快適な状態に保つことが省エネにつながる。
【００２８】
図６中のＰ点は、環境因子検知部２により検知された空調対象空間の現在の空気温度および床温度（つまり初期状態）を示しており、Ｑ点は、快適範囲内においてルームエアコン４ａの運転比率が最も多い位置を示しており、Ｒ点は、快適範囲内においてルームエアコン４ａの運転比率が最も少ない位置を示している。
【００２９】
初期状態Ｐ点の床温度Ｔｆ０がＱ点の床温度Ｔｆ１未満のときは、目標点をＱ点とする。床暖房４ｂとルームエアコン４ａの両方を運転する必要があるが、目標をＱ点とすることで、できるだけルームエアコン４ａの運転比率を高めることができ、省エネとなる。
【００３０】
初期状態Ｐ点の床温度Ｔｆ０がＲ点の床温度Ｔｆ２以上のときは、目標点をＲ点とする。初めから床温度が高いため、床暖房４ｂを運転する必要がなく、ルームエアコン４ａだけで必要最低限の空気温度Ｔａ１まで暖めればよい。よって、目標点をＲ点とすることで最小限の消費電力で快適な状態にできる。
【００３１】
初期状態Ｐ点の床温度Ｔｆ０が、Ｔｆ１以上でＴｆ２未満のときは、目標点をＱ点からＲ点の間とする。例えば、目標点Ｓの床温度は初期状態の床温度Ｔｆ０と同等とし、空気温度だけ上昇させる。これにより、床暖房４ｂが不要となり、ルームエアコン４ａだけ運転させるため、最小限の消費電力で快適となる。
【００３２】
以上のように、本実施の形態１に係る空調システムによれば、環境因子可変装置４を複数制御することで、複数の環境因子を快適範囲内に容易に制御することができるため、快適性を損ねずに向上させることができる。
また、複数の環境因子可変装置４のうち、消費電力が大きいものの運転比率が減るように環境因子の目標値を決定することにより、省エネを実現することができる。
【００３３】
なお、本実施の形態１では、快適範囲について予め決められた値を用いているが、それに限定されず、学習機能を設け、使用者の過去の使用状況を基に変更するようにしてもよい。
たとえば、使用者が暖房モードでいつも高めの温度を設定しているような場合は、快適範囲も予め決められた値よりも高めに変更し、逆にいつも低めの温度を設定しているような場合は、快適範囲も予め決められた値よりも低めに変更する。
【００３４】
実施の形態２．
以下、本実施の形態２について説明するが、実施の形態１と重複するものについては省略し、実施の形態１と同じ部分または相当する部分には同じ符号を付す。
図７は、本発明の実施の形態２に係る空調システムのブロック図、図８は、本発明の実施の形態２に係る空調システムの壁温度と空気温度と年齢における快適範囲との関係を示す図である。なお、図８中の細線は、ルームエアコン４ａを単体で制御した際の空気温度および壁温度の変化を示しており、太線は、ルームエアコン４ａおよび輻射冷房パネル４ｃを制御した際の空気温度および壁温度の変化を示している。
【００３５】
本実施の形態２では、図７に示すように、複数の環境因子可変装置４として、主に空気温度を変更するルームエアコン４ａと主に壁温度を変更する輻射冷房パネル４ｃとを少なくとも有するものとする。また、運転モードとして、「冷房」モードを選択するものとする。
【００３６】
本実施の形態２では、年齢優先によって空気温度および壁温度の目標値を決定するものとする。図８に示すように、空気温度および壁温度における快適範囲は年齢によって異なっているため、現使用者の年齢に応じて空気温度および壁温度の目標値を決定する必要がある。
【００３７】
現使用者が若年、または複数の現使用者のうち全員が若年であった場合は、若年の快適範囲内の値を目標値に決定し、現使用者が老年、または複数の現使用者のうち全員が老年であった場合は、老年の快適範囲内の値を目標値に決定する。また、複数の現使用者のうち若年と老年がどちらも居た場合は、予め優先順位を決めておき、その優先順位に従って優先順位が高い方の快適範囲内の値を目標値に決定する。
なお、本実施の形態２では、３０代は若年、７０代は老年とする。
【００３８】
そして、上記によって決定した目標値と環境因子検知部２で検知した値との差に応じて、環境因子可変装置４であるルームエアコン４ａおよび輻射冷房パネル４ｃの制御を行い、環境が快適となるようにする。
【００３９】
実施の形態３．
以下、本実施の形態３について説明するが、実施の形態１と重複するものについては省略し、実施の形態１と同じ部分または相当する部分には同じ符号を付す。
図９は、本発明の実施の形態３に係る空調システムのブロック図、図１０は、本発明の実施の形態３に係る空調システムの絶対湿度と空気温度と性別における快適範囲との関係を示す図である。なお、図１０中の細線は、ルームエアコン４ａを単体で制御した際の絶対湿度および空気温度の変化を示しており、太線は、ルームエアコン４ａおよび除湿機４ｄを制御した際の絶対湿度および空気温度の変化を示している。
【００４０】
本実施の形態３では、図９に示すように、複数の環境因子可変装置４として、主に空気温度を変更するルームエアコン４ａと主に絶対湿度を変更する除湿機４ｄとを少なくとも有するものとする。また、運転モードとして、「除湿」モードを選択するものとする。なお、ルームエアコン４ａの代わりに輻射冷房パネル４ｃとしてもよい。
【００４１】
本実施の形態３では、性別優先によって絶対湿度および空気温度の目標値を決定するものとする。図１０に示すように、絶対湿度および空気温度における快適範囲は性別によって異なっているため、現使用者の性別に応じて絶対湿度および空気温度の目標値を決定する必要がある。
【００４２】
現使用者が女性、または複数の現使用者のうち全員が女性であった場合は、女性の快適範囲の値を目標値に決定し、現使用者が男性、または複数の現使用者のうち全員が男性であった場合は、男性の快適範囲の値を目標値に決定する。また、複数の現使用者のうち女性と男性がどちらも居た場合は、予め優先順位を決めておき、その優先順位に従って優先順位が高い方の快適範囲内の値を目標値に決定する。
【００４３】
そして、上記によって決定した目標値と環境因子検知部２で検知した値との差に応じて、環境因子可変装置４であるルームエアコン４ａおよび除湿機４ｄの制御を行い、環境が快適となるようにする。
なお、本実施の形態３では、図１０に示すようにルームエアコン４ａを単体で制御しても、絶対湿度および空気温度の両方を快適範囲内の値にすることはできない。
【００４４】
実施の形態４．
以下、本実施の形態４について説明するが、実施の形態１と重複するものについては省略し、実施の形態１と同じ部分または相当する部分には同じ符号を付す。
図１１は、本発明の実施の形態４に係る空調システムのブロック図、図１２は、本発明の実施の形態３に係る空調システムの絶対湿度と空気温度と性別における快適範囲との関係を示す図である。なお、図１２中の細線は、ルームエアコン４ａを単体で制御した際の絶対湿度および空気温度の変化を示しており、太線は、ルームエアコン４ａおよび加湿機４ｅを制御した際の絶対湿度および空気温度の変化を示している。
【００４５】
本実施の形態４では、図１１に示すように、複数の環境因子可変装置４として、主に空気温度を変更するルームエアコン４ａと主に絶対湿度を変更する加湿機４ｅとを少なくとも有するものとする。また、運転モードとして、「加湿」モードを選択するものとする。なお、ルームエアコン４ａの代わりに床暖房４ｂとしてもよい。
【００４６】
本実施の形態４では、性別優先によって絶対湿度および空気温度の目標値を決定するものとする。図１２に示すように、絶対湿度および空気温度における快適範囲は性別によって異なっているため、現使用者の性別に応じて絶対湿度および空気温度の目標値を決定する必要がある。
【００４７】
現使用者が女性、または複数の現使用者のうち全員が女性であった場合は、女性の快適範囲の値を目標値に決定し、現使用者が男性、または複数の現使用者のうち全員が男性であった場合は、男性の快適範囲の値を目標値に決定する。また、複数の現使用者のうち女性と男性がどちらも居た場合は、予め優先順位を決めておき、その優先順位に従って優先順位が高い方の快適範囲内の値を目標値に決定する。
【００４８】
そして、上記によって決定した目標値と環境因子検知部２で検知した値との差に応じて、環境因子可変装置４であるルームエアコン４ａおよび加湿機４ｅの制御を行い、環境が快適となるようにする。
なお、本実施の形態４では、図１２に示すようにルームエアコン４ａを単体で制御しても、絶対湿度および空気温度の両方を快適範囲内の値にすることはできない。
【００４９】
実施の形態５．
以下、本実施の形態５について説明するが、実施の形態１と重複するものについては省略し、実施の形態１と同じ部分または相当する部分には同じ符号を付す。
図１３は、本発明の実施の形態５に係る空調システムのブロック図、図１４は、本発明の実施の形態５に係る空調システムの風速と粉塵濃度と体質における快適範囲との関係を示す図である。なお、図１４中の細線は、ルームエアコン４ａを単体で制御した際の粉塵濃度および風速の変化を示しており、太線は、ルームエアコン４ａおよび空気清浄機４ｆを制御した際の粉塵濃度および風速の変化を示している。
【００５０】
本実施の形態５では、図１３に示すように、複数の環境因子可変装置４として、主に風速（気流感、騒音）を変更するルームエアコン４ａと主に粉塵濃度を変更する空気清浄機４ｆとを少なくとも有するものとする。また、運転モードとして、「空気清浄」モードを選択するものとする。
【００５１】
本実施の形態５では、体質優先によって風速および粉塵濃度の目標値を決定するものとする。図１４に示すように、風速および粉塵濃度における快適範囲は体質によって異なっているため、現使用者の体質に応じて風速および粉塵濃度の目標値を決定する必要がある。
【００５２】
現使用者が花粉症でない人、または複数の現使用者のうち全員が花粉症でない人であった場合は、花粉症でない人の快適範囲の値を目標値に決定し、現使用者が花粉症の人、または複数の現使用者のうち全員が花粉症の人であった場合は、花粉症の人の快適範囲の値を目標値に決定する。また、複数の現使用者のうち花粉症でない人と花粉症の人がどちらも居た場合は、予め優先順位を決めておき、その優先順位に従って優先順位が高い方の快適範囲内の値を目標値に決定する。
【００５３】
そして、上記によって決定した目標値と環境因子検知部２で検知した値との差に応じて、環境因子可変装置４であるルームエアコン４ａおよび空気清浄機４ｆの制御を行い、環境が快適となるようにする。
【００５４】
なお、本実施の形態１〜５では、２つの環境因子可変装置４を制御して環境を快適な状態に保つ場合を例に説明したが、環境因子可変装置４の２つの組み合わせは本実施の形態１〜５の組み合わせに限定されず、適宜組み合わせてもよい。
【００５５】
また、本実施の形態１〜５では、２つの環境因子可変装置４を制御して２つの環境因子を快適範囲内にすることで、環境を快適な状態に保つ場合を例に説明したが、それに限定されず、２つ以上（たとえば３つ）の環境因子可変装置４を制御して２つ以上（たとえば３つ）の環境因子を快適範囲内にすることで、環境を快適な状態に保つようにしてもよい。
【符号の説明】
【００５６】
１  操作表示端末、２  環境因子検知部、３  情報収集ユニット、４  環境因子可変装置、４ａ  ルームエアコン、４ｂ  床暖房、４ｃ  輻射冷房パネル、４ｄ  除湿機、４ｅ  加湿器、４ｆ  空気清浄機。
【図１】
2016001975.tif 000003
【図２】
2016001975.tif 000004
【図３】
2016001975.tif 000005
【図４】
2016001975.tif 000006
【図５】
2016001975.tif 000007
【図６】
2016001975.tif 000008
【図７】
2016001975.tif 000009
【図８】
2016001975.tif 000010
【図９】
2016001975.tif 000011
【図１０】
2016001975.tif 000012
【図１１】
2016001975.tif 000013
【図１２】
2016001975.tif 000014
【図１３】
2016001975.tif 000015
【図１４】
2016001975.tif 000016
【手続補正書】
【提出日】平成28年8月4日(2016.8.4)
【手続補正１】
【補正対象書類名】明細書
【補正対象項目名】０００７
【補正方法】変更
【補正の内容】
【０００７】
本発明に係る空調システムは、運転モードに関する情報を少なくとも入力する入力部と、環境を特定する要素である環境因子を変更する複数の可変装置と、前記入力部から入力された情報に基づいて前記可変装置を複数制御し、複数の環境因子を予め決められた環境因子の範囲内にする制御部と、環境因子を検知する検知部と、運転モードの設定画面を表示する表示部と、を備え、前記予め決められた環境因子の範囲内である前記環境因子の目標値として、第１目標値と、前記第１目標値とは異なる第２目標値と、を有し、前記制御部は、前記検知部で検知された現在の環境因子の値が、第１範囲内である場合は、前記目標値を前記第１目標に決定し、前記第１範囲とは異なる第２範囲内である場合は、前記目標値を前記第２目標値に決定し、前記表示部は、決定された前記目標値が表示された表示画面を表示するものである。
【手続補正２】
【補正対象書類名】特許請求の範囲
【補正対象項目名】全文
【補正方法】変更
【補正の内容】
【特許請求の範囲】
【請求項１】
運転モードに関する情報を少なくとも入力する入力部と、
環境を特定する要素である環境因子を変更する複数の可変装置と、
前記入力部から入力された情報に基づいて前記可変装置を複数制御し、複数の環境因子を予め決められた環境因子の範囲内にする制御部と、
環境因子を検知する検知部と、
運転モードの設定画面を表示する表示部と、を備え、
前記予め決められた環境因子の範囲内である前記環境因子の目標値として、第１目標値と、前記第１目標値とは異なる第２目標値と、を有し、
前記制御部は、
前記検知部で検知された現在の環境因子の値が、
第１範囲内である場合は、前記目標値を前記第１目標に決定し、
前記第１範囲とは異なる第２範囲内である場合は、前記目標値を前記第２目標値に決定し、
前記表示部は、
決定された前記目標値が表示された表示画面を表示する
空調システム。
【請求項２】
前記入力部から入力された情報に基づいて、複数の環境因子の目標値をそれぞれ前記予め決められた環境因子の範囲内の値に決定し、前記目標値および前記検知部で検知された値に応じて前記可変装置を複数制御し、複数の環境因子の値をそれぞれ前記目標値にする
請求項１に記載の空調システム。
【請求項３】
人を特定する要素である人体因子毎の環境因子に応じた予め決められた環境因子の範囲に関する情報が記憶される記憶部を備え、
前記入力部から入力される情報に基づいて最適な予め決められた環境因子の範囲を選択し、その予め決められた環境因子の範囲内の値を前記目標値に決定する
請求項２に記載の空調システム。
【請求項４】
現使用者の人体因子のパラメータに該当した予め決められた環境因子の範囲を選択する
請求項３に記載の空調システム。
【請求項５】
現使用者の人体因子のパラメータに該当した予め決められた環境因子の範囲が複数ある場合、
予め決められた優先順位に基づいて予め決められた環境因子の範囲を選択する
請求項４に記載の空調システム。
【請求項６】
前記最適な予め決められた環境因子の範囲内において、最も消費電力が少なくなる値を前記目標値に決定する
請求項３〜５のいずれか一項に記載の空調システム。
【請求項７】
前記運転モードとして暖房モードを備え、
前記複数の可変装置としてルームエアコンおよび床暖房を備え、
前記検知部として単数または複数で空気温度および床温度を検知する空調システムであって、
前記暖房モードが選択されたら、
現使用者の人体因子のパラメータに該当した空気温度および床温度に対応する予め決められた環境因子の範囲を選択し、その予め決められた環境因子の範囲内の空気温度および床温度の値をそれぞれの目標値に決定し、前記目標値および前記検知部で検知された空気温度および床温度に応じてルームエアコンおよび床暖房を制御し、空気温度および床温度の値をそれぞれ前記目標値にする
請求項３〜６のいずれか一項に記載の空調システム。
【請求項８】
前記運転モードとして冷房モードを備え、
前記複数の可変装置としてルームエアコンおよび輻射冷房パネルを備え、
前記検知部として単数または複数で空気温度および壁温度を検知する空調システムであって、
前記冷房モードが選択されたら、
現使用者の人体因子のパラメータに該当した空気温度および壁温度に対応する予め決められた環境因子の範囲を選択し、その予め決められた環境因子の範囲内の空気温度および壁温度の値をそれぞれの目標値に決定し、前記目標値および前記検知部で検知された空気温度および壁温度に応じてルームエアコンおよび輻射冷房パネルを制御し、空気温度および壁温度の値をそれぞれ前記目標値にする
請求項３〜７のいずれか一項に記載の空調システム。
【請求項９】
前記運転モードとして除湿モードを備え、
前記複数の可変装置としてルームエアコンまたは輻射冷房パネルおよび除湿機を備え、
前記検知部として単数または複数で絶対湿度および空気温度を検知する空調システムであって、
前記除湿モードが選択されたら、
現使用者の人体因子のパラメータに該当した絶対湿度および空気温度に対応する予め決められた環境因子の範囲を選択し、その予め決められた環境因子の範囲内の絶対湿度および空気温度の値をそれぞれの目標値に決定し、前記目標値および前記検知部で検知された絶対湿度および空気温度に応じてルームエアコンまたは輻射冷房パネルおよび除湿機を制御し、絶対湿度および空気温度の値をそれぞれ前記目標値にする
請求項３〜８のいずれか一項に記載の空調システム。
【請求項１０】
前記運転モードとして加湿モードを備え、
前記複数の可変装置としてルームエアコンまたは床暖房および除湿機を備え、
前記検知部として単数または複数で絶対湿度および空気温度を検知する空調システムであって、
前記加湿モードが選択されたら、
現使用者の人体因子のパラメータに該当した絶対湿度および空気温度に対応する予め決められた環境因子の範囲を選択し、その予め決められた環境因子の範囲内の絶対湿度および空気温度の値をそれぞれの目標値に決定し、前記目標値および前記検知部で検知された絶対湿度および空気温度に応じてルームエアコンまたは床暖房および除湿機を制御し、絶対湿度および空気温度の値をそれぞれ前記目標値にする
請求項３〜９のいずれか一項に記載の空調システム。
【請求項１１】
前記運転モードとして空気清浄モードを備え、
前記複数の可変装置としてルームエアコンおよび空気清浄機を備え、
前記検知部として単数または複数で粉塵濃度および風速を検知する空調システムであって、
前記空気清浄モードが選択されたら、
現使用者の人体因子のパラメータに該当した粉塵濃度および風速に対応する予め決められた環境因子の範囲を選択し、その予め決められた環境因子の範囲内の粉塵濃度および風速の値をそれぞれの目標値に決定し、前記目標値および前記検知部で検知された粉塵濃度および風速に応じてルームエアコンおよび空気清浄機を制御し、粉塵濃度および風速の値をそれぞれ前記目標値にする
請求項３〜１０のいずれか一項に記載の空調システム。
【請求項１２】
前記環境因子の目標値として、前記第１目標値および前記第２目標値とは異なる第３目標値を有し、
前記制御部は、
前記検知部で検知された現在の前記床温度の値が、
前記第１範囲内である第１閾値未満であるときは、前記空気温度および前記床温度の目標値を前記第１目標値に決定し、
前記第２範囲内である前記第１閾値よりも大きい第２閾値以上であるときは、前記空気温度および前記床温度の目標値を前記第２目標値に決定し、
前記第１範囲および前記第２範囲とは異なる前記第１閾値以上前記第２閾値未満であるときは、前記空気温度および前記床温度の目標値を前記第３目標値に決定する
請求項７に記載の空調システム。
【国際調査報告】
2016001975.tif 000017
2016001975.tif 000018
2016001975.tif 000019
2016001975.tif 000020